(57)【特許請求の範囲】
【請求項１】
液透過性のトップシートと、液不透過性のバックシートと、前記トップシート及び前記バックシートの間に配置された吸収体と、を有する吸収性物品であって、
前記トップシートは、少なくとも２枚の液透過性の不織布シートから構成され、
積層した前記不織布シートのうち、身体側最上層の不織布シートは、繊維径が１．０ｄｔｅｘ以上１．５ｄｔｅｘ以下の繊維から構成され、下層に位置する不織布シートは、繊維径が２．０ｄｔｅｘ以上２．５ｄｔｅｘ以下の繊維から構成され、
前記身体側最上層の不織布シートには、前記吸収性物品の長手方向に沿って、前記不織布シートを貫通する直線状のスリットＡが間欠的に設けられており、前記スリットＡは、前記スリットＡと同じ直線上の他の前記スリットＡとの間に間欠部Ａを規則的に有し、各直線状の前記スリットＡの各前記間欠部Ａは、前記吸収性物品の幅方向に沿って直線上に位置し、
前記下層に位置する不織布シートには、前記吸収性物品の長手方向に沿って、前記不織布シートを貫通する直線状のスリットＢが間欠的に設けられており、前記スリットＢは、前記スリットＢと同じ直線上の他の前記スリットＢとの間に間欠部Ｂを規則的に有し、各直線状の前記スリットＢの各前記間欠部Ｂは、前記吸収性物品の幅方向に沿って直線上に位置し、
上下に積層した不織布シートのそれぞれに設けられた前記スリットＡ及び前記スリットＢは、上下方向に全く重なっておらず、長手方向の前記スリットＡと長手方向の前記スリットＢの組み合わせからなり、幅方向に離間したスリットＡ同士の間に複数の前記スリットＢが存在し、前記スリットＡは前記スリットＢより長く、前記間欠部Ａは前記間欠部Ｂと幅方向に隣接し、前記スリットＡと前記スリットＢは垂直方向に引き伸ばされず楕円形状になっておらず、
前記身体側最上層の不織布シートと前記下層に位置する不織布シートとを貫通する液通過孔は全くない、吸収性物品。
【請求項２】
積層した前記不織布シートのうち、身体側最上層の不織布シートの前記スリットＡは、長さが５ｍｍ以上３０ｍｍ以下であり、長手方向に隣接する前記スリットＡが５ｍｍ以上５０ｍｍ以下の間隔で離間している、請求項１に記載の吸収性物品。
【請求項３】
積層した前記不織布シートのうち、下層に位置する不織布シートの前記スリットＢは、長さが５ｍｍ以上３０ｍｍ以下であり、長手方向に隣接する前記スリットＢが５ｍｍ以上５０ｍｍ以下の間隔で離間しており、
少なくとも２枚の前記不織布シートを積層した状態において、身体側最上層の不織布シートの前記スリットＡと、下層に位置する不織布シートの前記スリットＢとは、幅方向に２ｍｍ以上１５ｍｍ以下離間している、請求項１から２のいずれかに記載の吸収性物品。
【請求項４】
積層した前記不織布シートに設けられる前記スリットＡ及び前記スリットＢの幅は、０．５ｍｍ以上２．５ｍｍ以下である、請求項１から３のいずれかに記載の吸収性物品。
【請求項５】
積層した前記不織布シートのうち、下層に位置する不織布シートの坪量が、１８ｇ／ｍ２以上４０ｇ／ｍ２以下であり、身体側最上層に位置する不織布シートの坪量が、１３ｇ／ｍ２以上３０ｇ／ｍ２以下である、請求項１から４のいずれかに記載の吸収性物品。
【請求項６】
積層した前記不織布シートのうち、下層に位置する不織布シートの坪量が、身体側最上層の不織布シートの坪量よりも高い、請求項１から５のいずれかに記載の吸収性物品。
【請求項７】
トップシートを構成する不織布シートが、エアスルー不織布である、請求項１から６のいずれかに記載の吸収性物品。
【発明の詳細な説明】
【技術分野】
【０００１】
本発明は、肌触りが良好で、吸収速度が速く、逆戻り量の少ない吸収性物品に関する。
【背景技術】
【０００２】
一般的に大人用紙おむつには、テープ止めタイプ、尿取りパッド、パンツタイプ等があり、これらの紙おむつは着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
吸収性物品において重要な性能としては、吸収性能が良好であることに加えて、肌触りが良いことが挙げられる。ここで、吸収性物品の肌触りについては、吸収性物品の肌当接面に位置するトップシートの性状により評価され、トップシートの柔らかさ、滑らかさ、及びクッション性が重要視されている。ここで、トップシートに柔らかさや滑らかさを付与するためには、繊維径の細い繊維から製造した不織布を使用することが好ましいとされているが、このような不織布を使用した場合、吸収速度が遅くなることがある。これは、細い繊維を用いた不織布では、目が密になり、不織布が通液しづらくなるためであると考えられている。
【０００４】
吸収性物品の吸収性能については、（１）吸収速度が速いこと、及び（２）逆戻り量が少ないこと、の２点が重要であるといわれている。これらの２つの性能を向上させるため、例えば、吸収体の構造や高吸収性ポリマーの配合態様に工夫を加えたり、吸収体にエンボスを設けたり、トップシートにスリットを入れたりする、といった技術が知られている。しかしながら、一般には、上記の２つの性能を同時に最大化させることは困難であり、一方の性能を向上させた場合には、他方の性能が低下するというような問題が従来指摘されていた。
【０００５】
例えば、吸収性物品において逆戻り量を最小化したい場合、吸収体に高吸収性ポリマーを多量に配合するか、高吸収性ポリマーの位置をトップシート側に調整する、というような方法を採用することができるが、その反動として、高吸収性ポリマーによるゲルブロックが発生して吸収速度が低下してしまうことが知られている。また、逆に、吸収性物品において、吸収速度を増大させたい場合、フラッフパルプの量を増やしたり、液拡散シートを配置したりする等といった方法が採用できるが、その反動として、加圧したときの逆戻り量が増加してしまうことが知られていた。さらに、高吸収性ポリマーやフラッフパルプの量をともに増大させることにより、吸収速度の増大と逆戻り量の抑制の両者を、ある程度まで改善することも可能であるが、各種材料の使用量の増大に伴い、コスト高となるおそれがあった。
【０００６】
他方、トップシートやセカンドシートにスリットや開孔を設けて、吸収性物品の吸収性能を向上させる技術が、以下の特許文献に開示されている。
【０００７】
例えば、特許文献１には、少なくとも身体側表面側に配置され、トップシート及び複数の開孔を有するメッシュシートを粘着することにより形成されている表面シートと、外面側に配置されているバックシートと、両シート間に介在される吸収体とにより構成される吸収性物品が開示されている。また、特許文献２には、トップシートとバックシートとこれらの間に配された吸収体とを有するとともに、トップシートと吸収体との間にセカンドシートが配されて、このセカンドシートが、トップシート側から不織布層とプラスチックフィルム層とを有する積層体から構成され、複数の貫通孔が形成されていることを特徴とする吸収性物品が開示されている。
【先行技術文献】
【特許文献】
【０００８】
【特許文献１】特開２００６−１４９４５７号公報
【特許文献２】特開２０１６−０１９６１６号公報
【発明の概要】
【発明が解決しようとする課題】
【０００９】
しかしながら、上記のいずれの吸収性物品についても、吸収速度を増大させ、逆戻り量を低減させる、という２つの性能を同時に且つ十分に向上させることはできない。さらに、これらの吸収性物品を構成するトップシートやセカンドシートに、肌触り性やクッション性を付与するために嵩高な不織布を使用する場合、吸収した体液がトップシートやセカンドシートの厚さ方向に残存してしまい、これが液戻りにつながってしまうという懸念もある。
【００１０】
したがって、本発明は、以上の課題に鑑みてなされたものであり、肌触り（柔らかさ、滑らかさ、クッション性）が良好で、吸収速度が増大されるとともに、逆戻り量が低減され、トップシート内に吸収した体液が残留しにくい、吸収性物品を提供することを目的とする。
【課題を解決するための手段】
【００１１】
本発明の発明者は、上記課題に鑑み、鋭意研究を行った。その結果、トップシートと、バックシートと、吸収体と、を有する吸収性物品において、トップシートを、所定の繊維径の繊維から製造した、少なくとも２枚の液透過性の不織布シートから構成するものとし、各不織布シートに所定のスリットを設けて、上下に積層した不織布シートのそれぞれに設けられたスリットを、上下方向に重ならないように構成することにより、上記課題を解決できることを見出し、本発明を完成するに至った。具体的には、本発明は以下のものを提供する。
【００１２】
（１）本発明の第１の態様は、液透過性のトップシートと、液不透過性のバックシートと、前記トップシート及び前記バックシートの間に配置された吸収体と、を有する吸収性物品であって、前記トップシートは、少なくとも２枚の液透過性の不織布シートから構成され、積層した前記不織布シートのうち、身体側最上層の不織布シートは、繊維径が１．０ｄｔｅｘ以上１．５ｄｔｅｘ以下の繊維から構成され、下層に位置する不織布シートは、繊維径が２．０ｄｔｅｘ以上２．５ｄｔｅｘ以下の繊維から構成され、前記身体側最上層の不織布シートには、前記吸収性物品の長手方向に沿って、前記不織布シートを貫通する直線状のスリットＡが間欠的に設けられており、前記スリットＡは、前記スリットＡと同じ直線上の他の前記スリットＡとの間に間欠部Ａを規則的に有し、各直線状の前記スリットＡの各前記間欠部Ａは、前記吸収性物品の幅方向に沿って直線上に位置し、前記下層に位置する不織布シートには、前記吸収性物品の長手方向に沿って、前記不織布シートを貫通する直線状のスリットＢが間欠的に設けられており、前記スリットＢは、前記スリットＢと同じ直線上の他の前記スリットＢとの間に間欠部Ｂを規則的に有し、各直線状の前記スリットＢの各前記間欠部Ｂは、前記吸収性物品の長手方向に沿って直線上に位置し、上下に積層した不織布シートのそれぞれに設けられた前記スリットＡ及び前記スリットＢは、上下方向に全く重なっておらず、長手方向の前記スリットＡと長手方向の前記スリットＢの組み合わせからなり、幅方向に離間したスリットＡ同士の間に複数の前記スリットＢが存在し、前記スリットＡは前記スリットＢより長く、前記間欠部Ａは前記間欠部Ｂと幅方向に隣接し、前記スリットＡと前記スリットＢは垂直方向に引き伸ばされず楕円形状になっておらず、前記身体側最上層の不織布シートと前記下層に位置する不織布シートとを貫通する液通過孔は全くない、吸収性物品である。
【００１３】
（削除）
【００１４】
（２）本発明の第２の態様は、（１）に記載の吸収性物品であって、積層した前記不織布シートのうち、身体側最上層の不織布シートの前記スリットＡは、長さが５ｍｍ以上３０ｍｍ以下であり、長手方向に隣接する前記スリットＡが５ｍｍ以上５０ｍｍ以下の間隔で離間していることを特徴とするものである。
【００１５】
（３）本発明の第３の態様は、（１）から（２）のいずれかに記載の吸収性物品であって、積層した前記不織布シートのうち、下層に位置する不織布シートの前記スリットＢは、長さが５ｍｍ以上３０ｍｍ以下であり、長手方向に隣接するスリットが５ｍｍ以上５０ｍｍ以下の間隔で離間しており、少なくとも２枚の前記不織布シートを積層した状態において、身体側最上層の不織布シートの前記スリットＡと、下層に位置する不織布シートの前記スリットＢとは、幅方向に２ｍｍ以上１５ｍｍ以下離間していることを特徴とするものである。
【００１６】
（４）本発明の第４の態様は、（１）から（３）のいずれかに記載の吸収性物品であって、積層した前記不織布シートに設けられる前記スリットＡ及び前記スリットＢの幅は、０．５ｍｍ以上２．５ｍｍ以下であることを特徴とするものである。
【００１７】
（５）本発明の第５の態様は、（１）から（４）のいずれかに記載の吸収性物品であって、積層した前記不織布シートのうち、下層に位置する不織布シートの坪量が、１８ｇ／ｍ２以上４０ｇ／ｍ２以下であり、身体側最上層に位置する不織布シートの坪量が、１３ｇ／ｍ２以上３０ｇ／ｍ２以下であることを特徴とするものである。
【００１８】
（６）本発明の第６の態様は、（１）から（５）のいずれかに記載の吸収性物品であって、積層した前記不織布シートのうち、下層に位置する不織布シートの坪量が、身体側最上層の不織布シートの坪量よりも高いことを特徴とするものである。
【００１９】
（７）本発明の第７の態様は、（１）から（６）のいずれかに記載の吸収性物品であって、トップシートを構成する不織布シートが、エアスルー不織布であることを特徴とするものである。
【発明の効果】
【００２０】
本発明の吸収性物品は、トップシートを、所定の繊維径を有する繊維から製造された、少なくとも２枚の液透過性の不織布シートから構成したので、吸収性物品の肌触りが良好となるとともに、２枚の不織布シートにより、吸収体からの液戻りが遮られ、逆戻り量を低減することができる。また、本発明の吸収性物品は、不織布シートにスリットを設けたので、このスリットを介して吸収体に体液をより迅速に吸収させることができる。このため、体液の吸収速度を増大させることができるとともに、不織布シートに体液が残留することを防止することができる。
【図面の簡単な説明】
【００２１】
【図１】身体側最上層の不織布シートと下層に位置する不織布シートを積層させてトップシートとする際の態様を示す図面である。
【図２】不織布シートに設けられるスリットの寸法を示す図面である。
【発明を実施するための形態】
【００２２】
以下、本発明を実施するための形態について、図面を参照して詳細に説明する。なお、以下に示す実施形態においては、同一の部材には同一の符号を付している。
【００２３】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、身体側表面とは、吸収体等の各部材の表裏両面のうち、着用時に着用者の肌側に配される面であり、衣類側表面とは、吸収体等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児用又は成人用を問わず、テープ止めタイプの使い捨ておむつ、パンツタイプの使い捨ておむつ、尿取りパッド、軽失禁パッド、生理用品等であってもよい。
【００２４】
吸収性物品１は、身体側表面に配された液透過性のトップシート２１と、トップシート２１に対向して配置された液不透過性のバックシートと、トップシート２１とバックシートとの間に少なくとも１層配置された吸収体と、を備えている。
【００２５】
また、吸収性物品１には、使用者の排泄した体液の横漏れを防止するため、吸収性物品１の長手方向に沿って、トップシート２１上の幅方向両端部に、立体ギャザー用弾性部材を有する一対の立体ギャザーを備えていてもよい。吸収性物品１の幅方向における立体ギャザーの外端は、バックシートに固定され、その内端はトップシート２１に固着され、その中央はトップシート２１に固定されない自由端となるように、立体ギャザーシートが配される。立体ギャザー用弾性部材を長手方向に沿って設けることで、立体ギャザーが起立性を有し、着用者の体型に合わせて変形可能なものとなる。立体ギャザー用弾性部材としては、例えば、ポリウレタン糸、帯状のポリウレタンフィルム、糸状又は帯状の天然ゴム等が使用され、立体ギャザーシートとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００２６】
［トップシート］
トップシート２１は、体液が吸収体へと移動するような液透過性を備えた基材から形成すればよく、例えば、エアスルー不織布、サーマルボンド不織布、スパンボンド不織布等の不織布、サーマルボンド／スパンボンドを積層した複合不織布等から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。さらに、強度及び加工性の点から、トップシート２１を構成する不織布１枚あたりの坪量は、１３ｇ／ｍ２以上５０ｇ／ｍ２以下であることが好ましい。トップシート２１の形状としては特に制限はないが、漏れがないように体液を吸収体へと誘導するために必要とされる、吸収体を覆う形状であればよい。
【００２７】
図１は、身体側最上層の不織布シート２１２と下層に位置する不織布シート２１３を積層させてトップシート２１とする際の態様を示す図面である。本発明の吸収性物品１においては、トップシート２１は少なくとも２枚の不織布シートから構成されている。トップシート２１を構成する不織布シートの枚数は、２枚以上４枚以下とすることが好ましく、２枚以上３枚以下とすることがより好ましい。また、トップシート２１を構成する２枚以上の不織布シートの組み合わせとしては、同一の種類の不織布シートを組み合わせて用いてもよいし、異なる種類の不織布シートを組み合わせて用いてもよい。トップシート２１を構成する積層した不織布シートのうち、身体側最上層の不織布シート２１２は、繊維径が０．７ｄｔｅｘ以上２．０ｄｔｅｘ以下の繊維から構成され、下層に位置する不織布シート２１３は、繊維径が２．０ｄｔｅｘ以上３．０ｄｔｅｘ以下の繊維から構成される。不織布シートを構成する繊維の繊維径は、身体側最上層の不織布シート２１２について、１．０ｄｔｅｘ以上１．５ｄｔｅｘ以下であることが好ましく、下層に位置する不織布シート２１３について、２．０ｄｔｅｘ以上２．５ｄｔｅｘ以下であることが好ましい。このような繊維径を有する繊維から不織布シートを調製することにより、トップシート２１の柔らかさ、滑らかさ、及びクッション性が良好なものとなり、肌触りの良好な吸収性物品１を提供することができる。
【００２８】
トップシート２１を構成する不織布シートとしては、エアスルー不織布から構成される不織布シートであることが好ましい。トップシート２１を構成する２枚の不織布シートの坪量は、下層に位置する不織布シート２１３の坪量が、身体側最上層の不織布シート２１２の坪量よりも高いことが好ましく、身体側最上層の不織布シート２１２の坪量が、１３ｇ／ｍ２以上３０ｇ／ｍ２以下であることが好ましく、１５ｇ／ｍ２以上２０ｇ／ｍ２以下であることがより好ましく、下層に位置する不織布シート２１３の坪量が、１８ｇ／ｍ２以上４０ｇ／ｍ２以下であることが好ましく、１８ｇ／ｍ２以上２５ｇ／ｍ２以下であることがより好ましい。
【００２９】
（スリット）
本発明の吸収性物品１においては、トップシート２１を構成する不織布シートに、吸収性物品１の長手方向に沿って、不織布シート２１２を貫通する直線状のスリットＡ２１４が間欠的に設けられている。そして、上下に積層した少なくとも２枚の不織布シート２１２、２１３のそれぞれに設けられたスリットＡ２１４とスリットＢ２１５は、上下方向には重ならないようになっている。不織布シート２１２、２１３にスリットＡ２１４とスリットＢ２１５を設けることにより、トップシート２１上に排泄された体液は、スリットＡ２１４とスリットＢ２１５を介して吸収体に吸収されるので、体液の迅速な吸収が担保されて吸収速度が増大するとともに、不織布シートの内部に体液が残留することを防止することもできる。
【００３０】
本発明においては、不織布シート２１２、２１３のそれぞれに設けられるスリットＡ２１４とスリットＢ２１５は、長手方向に沿って直線的かつ、間欠的に配置されていることが好ましい。不織布シート２１２、２１３のそれぞれに設けられるスリットＡ２１４とスリットＢ２１５を直線的かつ、間欠的に配置することにより、スリットＡ２１４とスリットＢ２１５を不織布シート上に均等に分布させることができ、上下に積層した不織布シートのスリットＡ２１４とスリットＢ２１５が互いに重ならない構成を、コストをかけずに容易に実現することができる。
【００３１】
図２は、不織布シートに設けられるスリットＡ２１４とスリットＢ２１５との寸法を示す図面である。本発明において、積層した不織布シート２１２、２１３のうち、身体側最上層の不織布シート２１２のスリットＡ２１４の長さは、スリットＡ２１４の１本あたり、５ｍｍ以上３０ｍｍ以下であることが好ましく、１０ｍｍ以上２０ｍｍ以下であることがより好ましい。また、長手方向に隣接するスリットＡ２１４は、５ｍｍ以上３０ｍｍ以下の間隔で互いに離間していることが好ましく、１５ｍｍ以上３０ｍｍ以下の間隔で互いに離間していることがより好ましい。スリットＡ２１４の幅は、０．５ｍｍ以上２．５ｍｍ以下であることが好ましく、１．０ｍｍ以上２．０ｍｍ以下であることがより好ましい。身体側最上層の不織布シート２１２のスリットＡ２１４の幅方向の離間距離は、５ｍｍ以上３０ｍｍ以下であることが好ましく、１０ｍｍ以上２０ｍｍ以下であることがより好ましい。身体側最上層の不織布シート２１２のスリットＡ２１４の寸法を、上記の範囲内のものとすることにより、体液の迅速な吸収を担保しつつ、不織布シートに残留する体液の量を低減することができる。
【００３２】
また、積層した不織布シート２１２、２１３のうち、下層に位置する不織布シート２１３のスリットＢ２１５の長さは、スリットＢ２１５の１本あたり、５ｍｍ以上３０ｍｍ以下であることが好ましく、１０ｍｍ以上２０ｍｍ以下であることがより好ましい。また、長手方向に隣接するスリットＢ２１５は、５ｍｍ以上５０ｍｍ以下の間隔で互いに離間していることが好ましく、１５ｍｍ以上３０ｍｍ以下の間隔で互いに離間していることがより好ましい。スリットＢ２１５の幅は、０．５ｍｍ以上２．５ｍｍ以下であることが好ましく、１．０ｍｍ以上２．０ｍｍ以下であることがより好ましい。下層に位置する不織布シート２１３のスリットＢ２１５の寸法を、上記の範囲内のものとすることにより、体液の迅速な吸収を担保しつつ、不織布シートに残留する体液の量を低減することができる。
【００３３】
本発明においては、少なくとも２枚の不織布シートを積層した状態において、身体側最上層の不織布シート２１２のスリット２１４と、下層に位置する不織布シート２１３のスリット２１４とは、幅方向に２ｍｍ以上１５ｍｍ以下離間していることが好ましい。下層に位置する不織布シート２１３のスリット２１４は、上下の不織布シートを積層した状態において、身体側最上層の不織布シート２１２のスリット２１４の幅方向両側に、２ｍｍ以上１５ｍｍ以下の離間距離をおいて設けられていてもよく、身体側最上層の不織布シート２１２のスリット２１４の片側のみに、２ｍｍ以上１５ｍｍ以下の離間距離をおいて設けられていてもよい。上下の不織布シートを積層した状態において、不織布シートに設けられたスリット２１４が上下方向に重なっていないことにより、トップシート２１の下層に位置する吸収体が直接肌に触れることを防止することができ、体液の逆戻りを抑制することができる。
【００３４】
［バックシート］
バックシートは、吸収体が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００３５】
強度及び加工性の点から、バックシートの坪量は、１５ｇ／ｍ２以上４０ｇ／ｍ２以下であることが好ましい。また、装着時の蒸れを防止するため、バックシートは、通気性を持たせることが好ましい。バックシートに通気性を備えさせるためには、例えば、基材の樹脂フィルムにフィラーを配合したり、バックシートにエンボス加工を施したりすればよい。なお、フィラーとしては炭酸カルシウムを挙げることができ、その配合方法は、公知の方法を制限なく行うことができる。
【００３６】
［吸収体］
吸収体は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体の吸収性繊維は、吸収性能及び肌触りを損なわないよう、１００ｇ／ｍ２以上８００ｇ／ｍ２以下の坪量とすることが好ましい。
【００３７】
吸収体の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体のＳＡＰ量は、吸収性能及び肌触りを損なわないよう、５０ｇ／ｍ２以上５００ｇ／ｍ２以下の坪量とすることが好ましく、１５質量％以上６０質量％以下の含有量とすることが好ましい。
【００３８】
吸収体において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体の形状の安定化の目的から、吸収体をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００３９】
吸収体は、上層吸収体と下層吸収体とを積層してなるものであることが好ましい。この場合、上層吸収体と下層吸収体の長手方向及び幅方向の長さは、上層吸収体の長さが下層吸収体の長さより長くてもよく、上層吸収体の長さが下層吸収体の長さと同じであってもよく、上層吸収体の長さが下層吸収体の長さより短くてもよい。
【００４０】
本発明の吸収性物品１は、吸収体に加え、２枚の不織布シートに高吸収性ポリマーを挟持したＳＡＰシートを有していてもよい。このようなＳＡＰシートを用いることにより、吸収性物品１の吸収性能をより向上させることができる。
【００４１】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体を形成する工程、（Ｂ）トップシート２１と立体ギャザーをホットメルト系接着剤で固定・一体化する工程、（Ｃ）トップシート２１、立体ギャザー、及びバックシートの内側にホットメルト系接着剤を塗工する工程、（Ｄ）集合ドラムにおいて、吸収体の上部にトップシート２１を、吸収体の下部にバックシートを配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明においてトップシート２１を吸収体と積層するに先立って、任意のカッター等により、スリット２１４が形成された不織布シートを、所定の位置に積層して、トップシート２１として用いればよい。
【実施例】
【００４２】
以下、本発明について、実施例を挙げて詳細に説明する。なお、本発明は以下に示す実施例に何ら限定されるものではない。
【００４３】
＜実施例１＞
（吸収性物品の作製）
パルプシートを粉砕して解繊したフラッフパルプ６ｇと、高吸収性ポリマー７ｇとをともに積繊した吸収体マットを準備し、長さ３３０ｍｍ、幅１０５ｍｍにカットした。この吸収体をトップシート及びバックシートとともに積層するとともに、１対の横漏れ防止用立体ギャザーを形成し、長さ４００ｍｍ、幅３２０ｍｍの吸収性物品を作製し、実施例１のサンプルとした。なお、トップシートを構成する不織布シートのうち、身体側最上層の不織布シート（エアスルー不織布）は、１．０ｄｔｅｘの繊維から製造されたものであり、その坪量は、１８ｇ／ｍ２であり、下層に位置する不織布シート（エアスルー不織布）は、２．０ｄｔｅｘの繊維から製造されたものであり、その坪量は２０ｇ／ｍ２であって、各不織布シートに長さ１０ｍｍ、幅１ｍｍのスリットを、各スリットの長手方向の間隔が１５ｍｍとなるように形成した。身体側最上層の不織布シートに形成したスリットの幅方向の間隔は１０ｍｍ、下層に位置する不織布シートに形成したスリットと、身体側最上層に位置する不織布シートとの幅方向の離間距離は５ｍｍとした。バックシートとしては、通気性ポリエチレンフィルム（坪量１８ｇ／ｍ２）を用いた。得られた吸収性物品の吸収速度、液戻り量を以下に従って測定・評価した。
【００４４】
（吸収速度）
外径８０ｍｍの円柱の中央に内径３０ｍｍの穴が開いており、重さ２０００ｇとした測定治具を、トップシートを上に向けた状態で、吸収性物品の長手方向、かつ幅方向の中央部の上に置き、上部の穴から生理食塩水４０ｍｌ（温度３６±３℃）を投下し、生理食塩水が吸収性物品に接触した時点から、測定治具中央円内の円周に生理食塩水が完全に吸い込まれるまでを終点として時間を計測し、吸収速度とした。吸収性物品に生理食塩水が完全に吸収された後、３分間放置して、同様の吸収試験を計３回繰り返した。
【００４５】
（液戻り量）
吸収性物品の中央に生理食塩水３００ｍｌ（温度３６±３℃）を注入し、１０分経過後に、あらかじめ重量を測定したろ紙（ＡＤＶＡＮＴＥＣ社製Ｎｏ．２ろ紙、直径５５ｍｍ）１０枚を注入部の中心に置き、ろ紙の上にアクリルプレートと錘を載せた（圧力；３５ｇｆ／ｃｍ２）。錘を載せてから１分経過後に、ろ紙の重量を測り、試験前後のろ紙の重量差（ｇ）を液戻り量とした。液戻り量は、Ｎ＝１０サンプルについて行ったものの平均値とした。液戻り量が少ないほど吸収性能に優れる。
【００４６】
（肌触り評価方法）
モニター２０名（３０歳から５０歳、男女混合）に肌触りアンケートを実施して、サンプル品の吸収性物品のトップシート表面の風合いの評価を行った。評価は、良い、普通、悪い、の３段階で評価し、良いと回答した人数を以下の評価基準に則り分類した。
○：１５人以上が良いと回答
△：１０人以上１５人未満が良いと回答
×：１０人未満が良いと回答
【００４７】
（総合判定）
○：肌触りと吸収性能（吸収速度及び逆戻り量）がともに良い
△：肌触りと吸収性能（吸収速度及び逆戻り量）のいずれかが良い
×：○及び△以外
【００４８】
＜比較例１＞
身体側最上層の不織布シートを、３．０ｄｔｅｘの繊維から製造し、下層に位置する不織布シートを、４．０ｄｔｅｘの繊維から製造した点以外は、実施例１と同様に吸収性物品を作製した。
【００４９】
＜比較例２＞
身体側最上層の不織布シートを、２．５ｄｔｅｘの繊維から製造し、下層に位置する不織布シートを、２．５ｄｔｅｘの繊維から製造した点以外は、実施例１と同様に吸収性物品を作製した。
【００５０】
＜実施例２＞
身体側最上層の不織布シートと下層に位置する不織布シートに長さ２０ｍｍ、幅１ｍｍのスリットを、各スリットの長手方向の間隔が２５ｍｍとなるように形成し、身体側最上層の不織布シートに形成したスリットの幅方向の間隔を２５ｍｍ、下層に位置する不織布シートに形成したスリットと、身体側最上層に位置する不織布シートとの幅方向の離間距離を１０ｍｍとした点以外は、実施例１と同様に吸収性物品を作製した。なお、トップシートを構成する不織布シートのうち、身体側最上層の不織布シート（エアスルー不織布）は、１．５ｄｔｅｘの繊維から製造されたものであり、その坪量は、１８ｇ／ｍ２であり、下層に位置する不織布シート（エアスルー不織布）は、２．５ｄｔｅｘの繊維から製造されたものであり、その坪量は２０ｇ／ｍ２であった。
【００５１】
＜比較例３＞
身体側最上層の不織布シートを、４．０ｄｔｅｘの繊維から製造し、下層に位置する不織布シートを、５．０ｄｔｅｘの繊維から製造した点以外は、実施例２と同様に吸収性物品を作製した。
【００５２】
＜比較例４＞
身体側最上層の不織布シートを、２．５ｄｔｅｘの繊維から製造し、下層に位置する不織布シートを、２．５ｄｔｅｘの繊維から製造した点以外は、実施例２と同様に吸収性物品を作製した。
【００５３】
＜比較例５＞
身体側最上層の不織布シートにスリットを設けず、下層に位置する不織布に設けられるスリットの幅方向の間隔を２０ｍｍに変更した点以外は、実施例１と同様に吸収性物品を作製した。
【００５４】
＜比較例６＞
身体側最上層の不織布シートにスリットを設けず、下層に位置する不織布に設けられるスリットの幅方向の間隔を２０ｍｍに変更した点以外は、比較例１と同様に吸収性物品を作製した。
【００５５】
＜比較例７＞
身体側最上層の不織布シートにスリットを設けず、下層に位置する不織布に設けられるスリットの幅方向の間隔を２０ｍｍに変更した点以外は、比較例２同様に吸収性物品を作製した。
【００５６】
＜比較例８＞
身体側最上層の不織布シート及び下層に位置する不織布シートにスリットを設けなかった点以外は、実施例１と同様に吸収性物品を作製した。
【００５７】
＜比較例９＞
身体側最上層の不織布シート及び下層に位置する不織布シートにスリットを設けなかった点以外は、比較例３と同様に吸収性物品を作製した。
【００５８】
＜比較例１０＞
身体側最上層の不織布シート及び下層に位置する不織布シートにスリットを設けなかった点以外は、比較例２と同様に吸収性物品を作製した。
【００５９】
以上の結果を表１に示す。
【表１】
0006786759.tif 000002
【００６０】
表１に示すように、実施例１及び２の吸収性物品においては、下層に位置する不織布シートの繊維径よりも身体側最上層に位置する不織布シートの繊維径の方が小さく、トップシートを構成する不織布シートにスリットが多数形成されているため、吸収速度が増大するとともに、スリットが多数形成されていることにより、不織布シートの保水量が低下して、逆戻り量も低減した。身体側最上層の不織布シート及び下層に位置する不織布シートに、小さい繊維径の繊維から製造した不織布を使用していることと対応して、実施例１及び２の吸収性物品の肌触りについては、良好なものとなった。
【００６１】
これに対して、比較例１及び３の吸収性物品においては、繊維径の太い繊維から不織布シートを作製していることと対応して、逆戻り量が多少多くなるとともに、吸収性物品の肌触りが良好であると回答した回答者数が減少した。比較例２及び４では、吸収性能は良好であったものの、繊維径の太い繊維から不織布シートを作製していることと対応して、吸収性物品の肌触りが良好であると回答した回答者数が減少した。比較例５から７では、身体側最上層の不織布シートにスリットがなく、下層に位置する不織布シートのスリットも、間隔が広く、スリット数が少ないことに起因して、吸収速度や逆戻り量に関する性能が低下した。これらのうち、繊維径が最も小さい繊維を用いて不織布シートを作製した、比較例５において、吸収性能が最も低下した。肌触りについては、繊維径の小さい繊維から作製した不織布シートを使用した比較例５においては、肌触りが良好になったが、繊維径の比較的太い繊維から作製した不織布シートを使用した比較例６及び７では、肌触りが良好であると回答した回答者数が減少した。比較例８から１０でも、同様に、身体側最上層の不織布シートや、下層に位置する不織布シートにスリットが設けられていないことに対応して、吸収性物品の吸収性能が低下した。
【００６２】
このような結果より、本発明によれば、吸収性物品の肌触りが良好であり、且つ吸収速度が増大されるとともに、逆戻り量が低減され、トップシート内に吸収した体液が残留しにくい吸収性物品が提供できることが分かった。
【符号の説明】
【００６３】
１        吸収性物品
２１      トップシート
２１２    身体側最上層の不織布シート
２１３    下層に位置する不織布シート
２１４    スリットＡ
２１５ スリットＢ
Ｙ        長手方向
Ｘ        幅方向
【図１】
0006786759.tif 000003
【図２】
0006786759.tif 000004